(57)【特許請求の範囲】
【請求項１】
セルラー通信システムにおいて、 無線インタフェースを介して、加入者によって使用される移動局との通信を行うように構成されている複数の基地局と、 移動局がセルラー通信システム内でコネクテッドモードにあるときに、移動局によって測定された無線リンクに対する無線資源測定報告から導出される第１のデータを受信し、記憶するように構成された記憶システムと、
記憶システムに記憶されているパラメータに基づいてハンドオーバの決定を行なうように構成されているサービスノードとを備え、
セルラー通信システムは、移動局から、複数の基地局を介して、記憶システムへ無線資源測定報告をルーティングするように構成されており、記憶システムは、加入者と関連する第２のデータを記憶するように構成されており、
サービスノードは、
ハンドオーバの決定を行なうのに使用するために、記憶システムから、第１のデータの少なくとも一部と第２のデータの少なくとも一部を含んでいるデータを受信し、
無線資源を移動局へ割り当てるように、受信したデータを処理し、
割り当てられた無線資源を識別するデータを基地局の少なくとも１つへ伝送するように構成されており、
無線資源は、複数の基地局の中から、第１のデータと第２のデータの両方に基づいてハンドオーバするための１つの基地局を選択することによって割り当てられ、複数の基地局に対する無線資源測定報告は移動局から受信される、セルラー通信システム。
【請求項２】
加入者に関連するデータは、個人加入者プロフィールおよび／またはサービス情報を含んでいる請求項１記載のシステム。
【請求項３】
個人加入者プロフィールおよび／またはサービス情報は、帯域幅要求、サービス品質要求、アクセス権、優先順位リスト、環境選択、移動局と関連したハードウェアおよびソフトウェアバージョン番号、好適な接続プロバイダ、および、加入者に関連したコスト制限の少なくとも１つを含んでいる請求項２記載のシステム。
【請求項４】
サービスノードは、移動局の少なくとも１つからのデータの受信に応じて、記憶システムからデータを要求するように構成されている請求項１乃至３いずれか１項記載のシステム。
【請求項５】
サービスノードは、無線資源測定報告の要求を移動局の少なくとも１つへ伝送するように構成されている請求項１乃至４いずれか１項記載のシステム。
【請求項６】
移動局に関するサービス状況の変化に応じて、無線資源測定報告の要求をその移動局に伝送するように構成されている請求項１乃至５いずれか１項記載のシステム。
【請求項７】
無線資源測定報告はＳＭＳメッセージの形にカプセル化される請求項１乃至６いずれか１記載のシステム。
【請求項８】
移動局から受信したＳＭＳメッセージから無線資源測定報告を抽出する手段を備える請求項１乃至７いずれか１記載のシステム。
【請求項９】
無線資源測定報告は、ダウンリンク品質および／または周辺セル信号強度を示すデータを含んでいる、請求項１乃至８いずれか１項記載のシステム。
【請求項１０】
無線資源測定報告は、移動局の現在の要求を指定するデータを含んでいる、請求項１乃至９いずれか１記載のシステム。
【請求項１１】
現在の要求は、帯域幅要求、信号対雑音比要求、無線パスロス要求、コスト要求およびサービス品質要求の少なくとも１つを含んでいる、請求項１０記載のシステム。
【請求項１２】
現在の要求は、帯域幅要求、信号対雑音比要求、無線パスロス要求、コスト要求およびサービス品質要求を含んでいる、請求項１０または１１記載のシステム。
【請求項１３】
セルラー通信システムの加入者によって使用される移動局に無線資源を割り当てる方法において、
セルラー通信システムは、無線リンクを介して移動局にサービスを提供する基地局を含む複数の基地局を備え、ハンドオーバの決定を行なうのに使用するための記憶されたデータへのアクセスを有し、
記憶されたデータは、移動局によって測定された無線リンクに対する無線資源測定データから導出される第１のデータと、加入者に関連した、第１のデータとは異なる第２のデータを含んでおり、
セルラー通信システムはさらに、
ハンドオーバの決定を行なうのに使用するためのデータを記憶するように構成されている記憶システムと、
記憶システムに記憶されているパラメータに基づいてハンドオーバの決定を行なうように構成されているサービスノードとを備えており、
本方法は、サービスノードにおいて、
１つ以上の予め定められた基準を満足する状態に応じて、ハンドーバ要求を受信し、
ハンドオーバ要求の受信に応じて、記憶されたデータの少なくともいくつかを検索し、
検索されたデータは、第１のデータの少なくとも一部と第２のデータの少なくとも一部を含んでおり、
無線資源を移動局へ割り当てるように、検索されたデータを処理し、
割り当てられた無線資源を識別するデータを基地局の少なくとも１つへ伝送する処理を含んでおり、
無線資源は、複数の基地局の中から、第１のデータと第２のデータの両方に基づいてハンドオーバするための１つの基地局を選択することによって割り当てられ、複数の基地局に対しての無線資源測定データは、記憶されたデータの中に含まれている、方法。
【請求項１４】
移動局によって測定された無線リンクに対する無線資源測定報告をセルラー通信システムに伝送し、無線資源の割り当てに使用するために、その無線資源測定報告を示すデータを格納する処理を含んでいる請求項１３記載の方法。
【請求項１５】
移動局に対する専用チャネルトラフィック接続中に無線資源測定報告を伝送する処理を含んでいる請求項１４記載の方法。
【請求項１６】
セルラー通信システムの加入者によって使用される移動局に無線資源を割り当てるサービスノードにおいて、
セルラー通信システムは、ネットワークインフラストラクチャと、無線インタフェースを介して移動局との通信を行なう複数の基地局と、サービスノードとを備えており、
ネットワークインフラストラクチャは、ハンドオーバの決定を行なうのに使用するためのデータを記憶するように構成されている記憶システムを備えており、
記憶システムは、移動局によって測定された無線リンクに対する無線資源測定データから導出される第１のデータと、加入者に関連した第２のデータを記憶するように構成されており、
サービスノードは、記憶システムに記憶されているパラメータに基づいてハンドオーバの決定を行なうように構成されており、
サービスノードは、
ハンドオーバの決定を行なうのに使用するために、記憶システムから、第１のデータの少なくとも一部と第２のデータの少なくとも一部を含んでいるデータを受信し、
無線資源を移動局へ割り当てるように、受信したデータを処理し、
割り当てられた無線資源を識別するデータを基地局の少なくとも１つへ伝送するように構成されており、
無線資源は、第１のデータと第２のデータの両方に基づいてハンドオーバするために、複数の基地局の中から、１つの基地局を選択することによって割り当てられ、複数の基地局に対しての無線資源測定データは、記憶されたデータの中に含まれている、サービスノード。
【請求項１７】
セルラー通信システムにおいて、 無線インタフェースを介して、加入者によって使用される移動局との通信を行うように構成されている複数の基地局と、
各移動局がセルラー通信システム内でコネクテッドモードにあるときに、移動局によって測定された無線リンクに対する無線資源測定データを含んでいる無線資源測定報告を生成するように構成されている複数の移動局と、
移動局がセルラー通信システム内でコネクテッドモードにあるときに移動局によって生成される無線資源測定報告の無線資源測定データから導出される第１のデータを受信し、記憶するように構成された記憶システムと、
記憶システムに記憶されているパラメータに基づいてハンドオーバの決定を行なうように構成されているサービスノードとを備えており、
セルラー通信システムは、移動局から、複数の基地局を介して、記憶システムへ無線資源測定報告をルーティングするように構成されており、記憶システムは、加入者と関連する第２のデータを記憶するように構成されており、
サービスノードは、
ハンドオーバの決定を行なうのに使用するために、記憶システムから、第１のデータの少なくとも一部と第２のデータの少なくとも一部を含んでいるデータを受信し、
無線資源を移動局へ割り当てるように、受信したデータを処理し、
割り当てられた無線資源を識別するデータを基地局の少なくとも１つへ伝送するように構成されており、
無線資源は、複数の基地局の中から、第１のデータと第２のデータの両方に基づいてハンドオーバするための１つの基地局を選択することによって割り当てられ、複数の基地局に対する無線資源測定報告は移動局から受信される、セルラー通信システム。
【発明の詳細な説明】
【０００１】
【発明の属する技術分野】
本発明は、移動体通信に関し、特に、セルラー通信システムにおける移動局からの無線資源シグナリング報告の伝送、およびシステムにおけるその取扱いに関する。
【０００２】
【従来の技術】
公知の移動体通信システム、例えばＧＳＭ（Global System for Mobile communications）では、移動局が呼の進行中に無線リンク測定を行うことが知られている。基地局は、ハンドオーバが必要な時点を判断するために、これらのダウンリンク測定報告を使用する。
【０００３】
ハンドオーバは、無線サブシステム基準（信号強度レベル、リンク品質、リンク距離など）およびネットワーク関連基準（例えば、各セルごとの現トラヒック負荷や、保守要求など）を用いて基地局により開始される。
【０００４】
さらに、ＧＳＭネットワークなどの現在のネットワークは、移動交換局（ＭＳＣ：mobile switching centre）を含んでいる。これは、大きな中央交換装置の形態をした第二世代のコンポーネントである。
【０００５】
様々なレベルのサービスが提供され、ＭＳＣファンクショナリティが中央交換装置の形態ではなく分散処理環境で提供される第三世代のシステムも提案されている。
【０００６】
【発明が解決しようとする課題】
無線資源割当てに関する、より柔軟で洗練されたアプローチを提供することが望ましい。また、現存する移動体ネットワーク要素の再利用、特に基地局の再利用に備えつつ、優れた無線資源シグナリングファンクショナリティを提供することが望ましい。
【０００７】
【課題を解決するための手段】
本発明の一態様によれば、ネットワークインフラストラクチャおよびこれに接続された複数の基地局を備えるセルラー通信システムにおいて移動局からサービス提供基地局へシグナリング報告を伝送する方法が提供される。この方法は、サービス提供基地局による使用を目的とした無線測定報告を伝送して無線資源を移動局へ割り当てるステップと、ネットワークインフラストラクチャ内のサービスノードによる使用を目的とした無線資源シグナリング報告を伝送して無線資源を移動局に割り当てるステップと、を備えている。
【０００８】
本発明のこの態様によれば、サービス提供基地局が適切なときに無線資源を割り当てることが可能になり、また、他の状況ではネットワーク階層中でより高位のサービスノードが無線資源を割り当てることも可能になる。これにより、ネットワーク中の過度のシグナリング負荷が回避されるとともに、このような他の状況において無線資源を割り当てるときに、基地局が利用できない追加パラメータを考慮に入れられるようになる。
【０００９】
本発明の別の態様によれば、移動局からセルラー通信システムへシグナリング報告を伝送する方法が提供される。このセルラー通信システムは、無線リンクを介して移動局にサービスを提供する基地局を含む複数の基地局を備えている。この方法は、無線資源シグナリング報告のサービス提供基地局による傍受を防ぐように、無線リンク上での伝送の前に無線資源シグナリング報告をカプセル化するステップを備えている。
【００１０】
本発明のこの態様は、無線資源シグナリング報告をサービス提供基地局を介してトランスペアレントに伝送し、システム中の別の要素へ前方に送ることができる方法を与える。移動体発信ＳＭＳメッセージによるカプセル化が好ましく、これにより、現存する無線インタフェースファンクショナリティを用いて、基地局からの無線資源シグナリング報告を隠すことができるようになる。
【００１１】
本発明の更に別の態様によれば、セルラー通信システムが提供される。このセルラー通信システムは、無線インタフェースを介して移動局との通信を行う複数の基地局と、移動局が当該システム内でコネクテッドモードにあるときに移動局によって生成される無線資源シグナリング報告を受信するサービスノードと、備えている。このシステムは、複数の基地局から前記報告を受信し、それをサービスノードへルーティングする手段を備えている。
【００１２】
本発明のこの態様は、サービスノードにおける無線資源関連データの収集と利用に備えるものであり、このような無線資源シグナリング報告に基づいて前記サービスノードが無線資源割当てを行うことができるようにする。例えば、サービスノードは、無線資源シグナリング報告中に含まれるデータ、ならびに移動局に対する帯域幅要求、コスト要求および／またはサービス品質要求を指定するデータ等の他のデータに基づいて、ハンドオーバ決定アルゴリズムを実行することができる。
【００１３】
【発明の実施の形態】
以下では、本発明の好適な実施形態について添付図面を参照しながら説明する。
【００１４】
ＧＳＭネットワーク（公衆陸上移動体ネットワーク（ＰＬＭＮ）と呼ばれる）を図１に概略的に図示する。このネットワーク自体は公知であるから、詳細には記載しない。移動交換局（ＭＳＣ）２は、通信リンクを介して多数の基地局制御装置（ＢＳＣ）４に接続されている。これらのＢＳＣ４は、移動交換局２によってサービスの提供を受けるエリア全体に地理的に分散している。各ＢＳＣ４は、一つ以上の無線基地局（ＢＴＳ）６を制御する。無線基地局は、ＢＳＣから遠隔に位置し、別の通信リンクによってＢＳＣに接続される。各ＢＴＳ６は、そのＢＴＳによってサービスの提供を受けるエリア内の移動局８との間で無線信号を送受信する。そのエリアは、「セル」と呼ばれる。ＧＳＭネットワークは、多数のこのようなセルを有するように設けられる。これらのセルは、理想的には、全ネットワーク区域にわたって連続したカバレッジを与えるように連続している。実際、多くのＧＳＭネットワークが、重複したカバレッジを与えるように同一エリア内で動作することができる。
【００１５】
移動交換局２は、通信リンクを介して、移動体通信ネットワーク１０の残りの部分における他の移動交換局や、図示しない他のネットワーク（例えば、公衆電話網（ＰＳＴＮ））にも接続される。移動交換局２には、ホームロケーションレジスタ（ＨＬＲ）１２が設けられている。ホームロケーションレジスタは、各移動局８に一意の国際移動体加入者識別子（ＩＭＳＩ）を含む加入者認証データを記憶するデータベースである。ＩＭＳＩは、移動体国番号（３個の十進数）、移動体ネットワーク番号（２個の十進数）、および特定のネットワーク内の加入者を識別する移動体加入者番号（１０個までの十進数）からなる。ＩＭＳＩも、他の加入者特定情報とともに、加入者識別モジュール（ＳＩＭ）（以下で説明する）中の移動局に記憶される。
【００１６】
移動交換局には、ビジタロケーションレジスタ（ＶＬＲ）（図示せず）も設けられている。ビジタロケーションレジスタは、そのエリア内でアクティブな移動局に関する加入者認証データを一時的に記憶するデータベースである。
【００１７】
更に、ＭＳＣは、ネットワーク内の移動局との間でアドレス指定されたショートメッセージの転送を取り扱うショートメッセージセンター（ＳＭＣ）１４に接続されている。ショートメッセージサービス（ＳＭＳ）は、ＧＳＭ技術仕様書０３．４０で規定されているようにポイントツーポイントメッセージサービスである。移動局８のユーザは、移動局のマンマシンインタフェース（ＭＭＩ）（例えば、キーパッド）への入力によって移動体発信ＳＭＳメッセージを生成することができ、そのメッセージを宛先アドレスとともにサービス提供ＢＴＳ６に送信することができる。このメッセージは、トランスペアレントにＭＳＣ２へ転送され、ＭＳＣ２は、このメッセージをＳＭＣ１４上に送る。ＳＭＣ１４は、通常、このメッセージを保持し、移動局８のユーザによってＳＭＳメッセージ中で指定されたディレクトリ番号に従って、端局への前方伝送を処理する。
【００１８】
移動体ネットワークのカバレッジ内でスイッチが入れられると、移動局は、二つの使用可能なモードを有する。すなわち、アイドルモード（idle mode）およびコネクテッドモード（connected mode）である。これらの双方は、ＧＳＭ技術仕様書０５．０８に記載されている。
【００１９】
アイドルモードでは、移動局８は、周囲のセルから受信した信号強度および無線サブシステムダウンリンク性能を測定する。移動局８は、セル選択アルゴリズムにしたがって好適なセルを選択し、その選択をシグナリングチャネルを介してネットワークに通知する。ときおり、移動局が新しいセル基地局に移動するときに、移動局は、シグナリングチャネルを介して移動体ネットワークにロケーションの更新を伝える。
【００２０】
コネクテッドモードでは、移動局８が呼設定手順を開始し、無線インタフェース上での音声および／またはデータトラフィックの転送用に専用チャネル（「コネクション」）が移動局８に割り当てられる。この専用チャネルは、音声またはデータトラフィックを運ぶ主トラフィックチャネル（ＴＣＨ）と、低レートシグナリングチャネル（the Slow Associated Control Channel，ＳＡＣＣＨ）と、を含んでいる。コネクテッドモード時、移動局は、サービス提供セルＢＴＳおよび周辺のセルＢＴＳからの無線測定を継続的に実行する。これらの測定は、ＳＡＣＣＨ上のサービス提供セルＢＴＳに定期的に報告される。移動局は、サービス提供セルに関する測定に加えて、多数の候補ターゲットセルに関する測定を報告することができる。これらの測定により、サービス提供セルは、コネクテッドモードにある所定の移動局のハンドオーバをいつ開始すべきか、およびどこへハンドオーバすべきかを決定できるようになる。ＢＳＣは、移動局によって生成されて専用チャネルのＳＡＣＣＨ部分で送られる測定報告を傍受する。
【００２１】
移動局８は、コネクテッドモードにあるときは、ショートメッセージ（ＳＭＳメッセージ）を送受信することも可能である。このようなショートメッセージは、この後、移動局に割り当てられた専用チャネルのＳＡＣＣＨ部分で送信され、異なるリンク識別子（ＳＡＰＩ）によって、ＳＡＣＣＨ上を伝送されるシグナリング（特に、測定報告シグナリング）から区別される。シグナリングメッセージにはＳＡＰＩ０が割り当てられ、ショートメッセージにはＳＡＰＩ３が割り当てられる。移動体発信ショートメッセージは、ＢＳＣには傍受されないが、ＭＳＣに送信される。ＭＳＣは、通常、ショートメッセージヘッダ中の宛先アドレスを用いて、このショートメッセージをＳＭＣ１４に送る。
【００２２】
図３は、本発明の実施形態を概略的に示している。この実施形態では、ＧＳＭ型ＢＳＣ４およびＢＴＳ６、ならびにＧＳＭ無線インタフェースの少なくとも一部の再利用が可能であり、分散処理ネットワークインフラストラクチャは、インテリジェントネットワーク（ＩＮ）型ファンクショナリティを用いて、ＭＳＣ２に付随する従来の要素やＭＳＣ２を含む従来の要素に置き換わる。
【００２３】
本発明のこの実施形態の構成では、一つの接続プロバイダのＢＳＣ４が第１のサービスアクセスノード１００に接続され、第２の接続プロバイダのＢＳＣ４が第２のサービスアクセスノード１０２に接続される。
【００２４】
サービスアクセスノード１００、１０２の各々は、サービス提供要素、移動性管理要素、交換要素および他の接続要素（図示せず）への接続を有している。サービスアクセスノード１００、１０２は、ＡＴＭリンク１０４を用いて相互接続されている。
【００２５】
更に、サービスノード１０６が、シグナリングリンクを用いてサービスアクセスノード１００、１０２の各々に接続されている。サービスノード１０６には、データベース１０８が設けられている。サービスノード１０６は、データベース１０８に記憶されたパラメータに基づいてハンドオーバの決定を行うために、所定のハンドオーバアルゴリズムを実行する。
【００２６】
データベース１０８に記憶されたデータは、二つの接続プロバイダによってカバーされるエリアの各々で現在アクティブな加入者のすべてについて、以下の事項に関するデータを含んでいる。
【００２７】
１．無線リンク品質。移動局８中の現ダウンリンク、およびサービス提供ＢＴＳ６中の現アップリンクに対して、無線リンク測定が行われる。この測定値には、例えば、ビット誤り率、遅延、遅延ジッタ、サービス品質の変化、リンクロスの確率、およびリンクロスまでの時間が含まれる。
【００２８】
２．ターゲット無線アクセスノードのリスト。これは、無線リンクをハンドオーバして渡すべきセルを決定するために必要である。このリストは、ノード容量およびノード占有率に関する情報を伴っている。
【００２９】
３．個人加入者プロフィールおよびサービス情報。帯域幅要求、サービス品質要求、アクセス権、優先順位リスト、環境選択、プロバイダ選択などが含まれる。
【００３０】
４．ハンドオーバの必要性を識別するために必要なすべての準静的パラメータ（輻輳および負荷制御関連パラメータ）を含む運用基準。
【００３１】
移動局８は、コネクテッドモード中、サービス提供セルおよび周辺セルの双方について、無線リンク測定を実行する。移動局は、従来のＧＳＭ型測定報告におけるこれらの測定値をＳＡＣＣＨ上におけるサービス提供ＢＴＳへのシグナリングとして伝送できることに加えて、サービスノード１０６へアドレス指定されたショートメッセージ中の無線資源測定報告をカプセル化することができる。移動体発信ショートメッセージは、ショートメッセージがユーザ定義ショートメッセージの代わりに無線リンク測定データを含んでいることをサービスアクセスノード１００に対して識別する発信アドレス／宛先アドレスヘッダの組合せを用いて移動局８により構築される。これにより、サービスアクセスノード１００が、インテリジェントネットワークファンクショナリティに設けられたショートメッセージセンター（図示せず）にではなくサービスノード１０６に測定報告ショートメッセージを確実に送信するようになる。
【００３２】
更に、測定報告はショートメッセージとしてカプセル化されているので、測定報告がＢＴＳ／ＢＳＣによって傍受されることはない。さもなければ、これは、測定報告がＳＡＣＣＨ上における通常のシグナリングとして送信される場合となる。これにより、ＢＳＣの単独制御からハンドオーバを行おうとする決定がなされ、ハンドオーバ決定をサービスノード１０６で行えるようになる。
【００３３】
コネクテッドモード中、サービス提供ＢＴＳ／ＢＳＣへのＳＡＣＣＨ上における通常のシグナリングとしての測定報告の送信は、一般に、継続的に行われるので、この後、通常のハンドオーバ決定をＢＳＣ４によって行うことができる。
【００３４】
移動局が特定の要求（たとえば、帯域幅および／またはサービス品質）を有している場合、通常のシグナリング測定報告の代わりに、またはこれに加えて、ＳＭＳカプセル化測定報告が移動局によって送信される。これにより、無線資源割当て決定をサービスノード１０６によって行えるようになっている。
【００３５】
移動局は、所定のサービス要求基準が満たされる時点（あるいは、満たされない時点）の検出に応じて、ＳＭＳカプセル化測定報告を自動的に送信できるようになっていてもよい。
【００３６】
この他に、あるいはこれに加えて、移動局は、サービスノード１０６からの要求を受信したときにＳＭＳカプセル化測定報告を送信してもよい。サービスノードは、他の所定のサービス要求基準が満たされたときに、このような要求を送信する。
【００３７】
このため、サービスノード１０６は、測定報告を受信すると、個々のＢＳＣが入手できないパラメータ（例えば、個人プロフィールやサービス情報）に基づいてハンドオーバ決定を行うことができる。
【００３８】
図４は、二つの接続プロバイダ間のハンドオーバが可能であって移動端末が基本測定データをサービスノードデータベース１０８に報告する状況を示している。移動端末８は、それぞれ周波数チャネル番号８３５、８２２、７８８、８２１、７８０、８００および８３０を有する７個のＢＴＳ６の付近にある。移動端末によって得られた信号強度測定値（−１０６ｄＢｍ〜−８０ｄＢｍ）は、対応する品質索引番号（０〜２６）に変換され、これらの品質索引番号は、ＳＡＣＣＨ上において移動端末８によりサービス提供ＢＴＳ６へ自動的に送信される移動体発信ＳＭＳメッセージ中に、基地局識別コードおよび周波数チャネル番号とともにカプセル化される。このメッセージは、サービス提供ＢＳＣ４を介して前方にトランスペアレントに送信され、囲み１００で表されるネットワーク、およびサービスノードデータベース１０８に送られる。
【００３９】
したがって、ショートメッセージ中にカプセル化された測定報告データは、移動局８から見える基地局を基地局識別コードおよびその対応信号強度によって正確に識別するために十分なものである。サービスノード１０６は、この測定データを用いてハンドオーバアルゴリズムを実行する際に、一つの接続プロバイダに属するサービス提供ＢＴＳ（周波数チャネル番号７８８）から第２の接続プロバイダに属する第２のＢＴＳ（周波数チャネル番号８００）へハンドオーバを実行することを決定することができる。サービスノード１０６からの命令に基づくこのハンドオーバは、この後、公知のハンドオーバ手順にしたがってネットワーク中で実行される。
【００４０】
コネクションをハンドオーバすることの決定は、接続プロバイダによって提供される種々のアクセスノードの各々に対応する帯域幅（移動局が複数の帯域幅容量を有している場合）、サービス品質および／またはコストなどの基準に基づいて行ってもよい。ＳＭＳメッセージは、ハンドセットおよび／または加入者の現在の要求に関するデータを含むことができる。例えば、ＳＭＳメッセージは、好適な接続プロバイダに対する識別子、帯域幅要求、コスト制限、ハンドセットのハードウェアおよびソフトウェアバージョン番号などを含むことができる。
【００４１】
図４に関して説明した例では、ＳＭＳメッセージにカプセル化された測定報告は、移動局の周辺に位置するＢＴＳの各々に対する無線品質索引番号しか含んでいなかった。ハンドオーバ決定を行うために有用な他のパラメータも、無線品質索引番号とともに、あるいは無線品質索引番号の代わりに、ＳＭＳメッセージにカプセル化できるものと考えられる。例えば、このデータには、サービス提供セルについての、タイムスロット番号、基地局色コード、グローバルセルＩＤ、受信品質、受信信号レベルおよび／または周辺セルの数が含まれていてもよい。ネットワーク内のシグナリング負荷を最小限に抑えられるのであれば、同様のデータを周辺セルの各々について用意してもよい。
【００４２】
サービスノードは、移動局によってサービスノードに送信される無線リンク測定報告を収集する移動体通信ネットワーク内に設けられる。サービス提供基地局による測定報告の傍受を防ぐために、移動局は、測定報告をカプセル化された形、すなわちＳＭＳメッセージの形で送信する。
【００４３】
サービスノードは、移動局に割り当てられるべき適切な無線アクセスノードを決定するため、移動局から収集した測定報告を用いてハンドオーバ決定アルゴリズムを実行することができる。
【００４４】
ＳＭＳカプセル化サービスノード１０６によって行われたハンドオーバ決定を、ＳＭＳカプセル化報告の受信時にサービスノード１０６のみが開始する必要はない。ハンドオーバ要求は、移動局８によってサービスノード１０６へ送ってもよい。この場合、移動局は、ハンドオーバ要求を開始すると、測定報告をサービスノード１０６宛てのＳＭＳメッセージとしてカプセル化する。このサービスノードは、ハンドオーバ決定アルゴリズムを実行して、どの無線アクセスノードが移動局に最も良いサービスを提供するかを判断する。
【００４５】
上述の実施形態では、測定報告が移動体発信ＳＭＳメッセージとしてカプセル化され、測定報告がサービス提供ＢＴＳ／ＢＳＣによって傍受されないようになっている。サービス提供ＢＴＳ／ＢＳＣによる測定報告の傍受を避けるために、カプセル化の他の態様を採用することも可能であると考えられる。例えば、サービス提供ＢＴＳ／ＢＳＣが測定報告用のトランスペアレントリレーとして機能し、測定報告がサービスノード１０６に到達できるように、測定報告は、サービス提供ＢＴＳ／ＢＳＣで認識されるエンベロープおよび／またはメッセージディスクリミネータを用いて運ぶことができる。ネットワーク内のＢＴＳ／ＢＳＣインタフェースによって、および測定報告がサービスノード１０６に送られるようにサービスアクセスノードによって認識されるこのような測定報告のカプセル化には、一意のエンベロープ定義を用意することができる。
【００４６】
更に、本発明は、サービスノード１０６への測定報告の伝送に限定されるものではない。他の無線資源シグナリングデータ（例えば、ユーザプリファランスのみ、またはユーザ要求もしくはハンドオーバ要求のみ）も、同様の方法によりカプセル化して送信することができる。
【００４７】
上記では特定の移動局を一例として説明してきたが、移動局は、以下のいずれであってもよい。すなわち、
パーソナルディジタルアシスタント（ＰＤＡ）
セルラー電話
衛星電話
ビデオフォン
ファクシミリ
携帯型パーソナルコンピュータ
などである。
【００４８】
本発明は、ＧＳＭ型ＢＳＣおよびＢＴＳが再利用される構成に限定されるものではない。他のセルラーネットワーク構成、特に第三世代システムも、本発明を使用することによって利益を得ることができる。
【００４９】
本発明の範囲から逸脱することなく、更なる変形および修正を加えることが可能である。
【図面の簡単な説明】
【図１】  従来技術の移動体通信ネットワークの概略ブロック図である。
【図２】  本発明に関連して使用される移動局の概略ブロック図である。
【図３】  本発明に係る移動体通信システムの概略ブロック図である。
【図４】  本発明にしたがって提供されるファンクショナリティを示す概略図である。
【図１】
0004581067.tif 000002
【図２】
0004581067.tif 000003
【図３】
0004581067.tif 000004
【図４】
0004581067.tif 000005